(57)【特許請求の範囲】
【請求項１】
インフレーション成形機によって得られた筒状フィルムを圧着し、片側の折り目に沿ってスリットすることによって得られる二つ折り状態の片開き農業用フィルムの原反１のスリットしたフィルム開き部へ長さ０．５〜２ｍで、側面に吹き出し口６が複数設けられたエアーノズル４を挿入し、重なり合って密着している該フィルムの原反１の間へエアーを注入して剥がれ易くし、原反１の上方もしくは下方に設置されている２本のガイドロール５、５’の間に、片開き農業用フィルムの原反１から剥がされた該片開き農業用フィルムを順次繰り出し、２本のガイドロール５、５’を通過後、該片開き農業用フィルムを開いて１枚ものの農業用フィルムとし、該フィルムを引き取り駆動ロール８に導くことにより、機械的に１枚ものの農業用フィルムを得ることを特徴とする農業用フィルムの開反装置。
【請求項２】
片開き農業用フィルムの原反１が巻物であることを特徴とする請求項１記載の農業用フィルムの開反装置。
【請求項３】
片開き農業用フィルムの原反１が交互に繰り返し折り畳まれた積層物であることを特徴とする請求項１記載の農業用フィルムの開反装置。
【発明の詳細な説明】
【０００１】
【発明の属する技術分野】
本発明はインフレーション成形機によって得られる農業用フィルムの開反装置に関する。更に詳しくは、インフレーション成形機によって得られた筒状フィルムを圧着し、片側の折り目に沿ってスリットすることによって得られる二つ折り状態の片開き農業用フィルム（以下、ダブル片開き農業用フィルムという。）の原反を、機械的に１枚ものの農業用フィルムとする農業用フィルムの開反装置に関する。
【０００２】
【背景技術】
農業用ハウスやトンネル等の園芸施設の被覆資材として様々の農業用フィルムが使用されている。それらの代表的なものとして、ポリ塩化ビニルフィルム、ポリエチレンフィルム、エチレン酢酸ビニル共重合体フィルム等を挙げることができる。通常、この様な農業用フィルムは、主材料であるプラスチック単独で使われることはなく、該フィルムに対し、柔軟性、安定性、保温性、透明性、強靭性、防曇性および経済性等の種々の機能を持たせるために、数種の添加剤が使用される。しかし、この様な添加剤は、経時的にフィルム表面に滲出し（以下、この現象をブリードアウトと呼ぶ。）、これによりフィルム表面にベタツキが発生し、作業性を悪化させるという欠点を有している。
【０００３】
中でも、用いる農業用フィルムの防曇性が悪いと、保温された状態にあるハウスやトンネル等の内表面で、土壌中からの水蒸気の凝縮水滴が形成され、これにより該フィルムが曇った状態となり、太陽光線の一部を反射して、透過光線量を減少させ、内部の温度上昇効果を低下させたり、フィルム表面の水滴が作物の上に直接落下して、幼芽や幼苗を痛めたり、病害発生の原因にもなるため、作物に多大な悪影響を及ぼす。
従って、ほとんどの農業用フィルムには、多量の防曇剤が添加されていたり、防曇塗布剤が塗布されていたりしており、これにより防曇性を向上させて、フィルム表面に水滴を形成させず、フィルムに沿って水滴を地表に流下させることができるようにされている。
しかし、この様な防曇剤は、ブリードアウトを起こし易く、フィルム表面にベタツキを発生させ易い。
【０００４】
特に昨今では、農業用フィルムの成形方法として、１０ｍ以上の広い幅を有するフィルムの生産が可能であるインフレーション成形法が好んで使用される様になってきた。
この方法によって得られた農業用フィルムは、横幅が充分に長いので幅継ぎの必要がなく、継ぎ部の融着不足等の問題が発生しない非常に優れたものである反面、インフレーション成形機によって得られる農業用フィルムは、通常筒状フィルムを圧着し、片側の折り目に沿ってスリットすることによって得られる二つ折りの片開き状態となっており、折られて重なり合っているフィルム同志は強固に密着している。
【０００５】
また、この様にして得られた農業用フィルムは、紙管や金属管等に巻かれた巻物として保管、輸送されたり、１ｍ間隔で交互に繰り返し折り畳まれた積層物として保管、輸送されるための農業用フィルムの原反となるが、該原反の巻物や積層物をハウスやトンネル等に張る（以下、展張という。）には、巻物の場合は、まず巻かれた該フィルムの原反を剥し（以下、原反繰り出し工程という。）、さらに折り重なって密着しているフィルム同志を開く工程（以下、開反工程という。）を必要とする。また、積層物にあっても開反工程を必要とする。この開反工程時に、前述した防曇剤等の添加剤がブリードアウトすると、重なりあって密着しているフィルム同志が更に強固に密着してしまい、この様な状態にあるフィルム同志を無理な力で剥そうとすると、該フィルムが伸びて変形したり、破れてしまったりするという問題が発生する。
【０００６】
この様な問題点を解決するために、インフレーション成形時において得られる筒状フィルムの内面に対して、該フィルム押出直後にコーンスターチや馬鈴薯等の澱粉を付着させ、密着しにくくするという公知の手法が取られているが、前記問題点を充分に解決するまでには至っていないのが現状であった。
特に、夏場に成形された農業用フィルムや透明性を改良するために表面を平滑に成形した農業用フィルムはその傾向が著しくなる。
【０００７】
また、開反して広げられた１枚ものの農業用フィルムは、農産物生産者（以下、農家という。）がすぐに展張できるように、農家が所有しているハウスやトンネルの大きさにあった寸法の農業用フィルムを１ｍ間隔で繰り返し交互に折り畳たんで積層物とし、更にその積層物を横方向に丸めて農家へ配送するための出荷物になる（以下、この方法を畳み方式という。）か、絞り機によって横方向に１０〜３０ｃｍ程度に絞った後、繰り返し交互に折り畳んで農家へ配送するための出荷物となる（以下、この方法を絞り方式という。）のが通例であるが、この時も２〜３人の人手を掛けなければ実施できないのが現状であった。
通常、このような開反作業や出荷作業は、農家の注文を受けた加工業者が行っており、インフレーション成形によって得られた農業用フィルムの原反を加工業者が買い取り、農家からの受注に合わせて、異なる長さの農業用フィルムを前記の方法によって出荷しているが、この際の開反作業や出荷作業は、２〜３人の人手を掛けながら、手作業で行わなければならないのが現状であり、非常に効率が悪いものであった。
【０００８】
【発明が解決しようとする課題】
本発明者らは、これらの問題点を解決すべく鋭意研究した結果、ダブル片開きフィルムの原反を開反し１枚ものの農業用フィルムとする際および１枚ものの農業用フィルムを畳み方式や絞り方式によって出荷物とする際の作業において、人と時間を大幅に削減させるべく鋭意検討した結果、基本的にエアーノズルと２本のガイドロールと引き取り駆動ロールから成る開反装置を用いることによって、これまで費やしてきた人と時間を大幅に削減することを見出し本発明を完成した。以上の記述から明らかなように、本発明の目的は、農業用フィルム同志が密着した状態にあるダブル片開きフィルムを、機械的に開反することのできる農業用フィルムの開反装置に関する。
【０００９】
【課題を解決する為の手段】
本発明は、インフレーション成形機によって得られたダブル片開き農業用フィルムを、該フィルムの原反から機械的に１枚ものの農業用フィルムおよび出荷物とすることができる農業用フィルムの開反装置を提供することである。
【００１０】
【発明の実施の形態】
以下、本発明につき詳細に説明する。
本発明で使用される農業用フィルムに用いるプラスチックは、例えば、ポリエチレン、ポリプロピレン、エチレン・酢酸ビニル共重合体、エチレン・エチルアクリレート共重合体等のポリオレフィン系樹脂を初めとして、スチレン系樹脂、アクリル系樹脂、ポリアミド系樹脂、ポリエステル系樹脂、ポリ塩化ビニル、熱可塑性ポリウレタン樹脂、ポリカーボネイト樹脂等の熱可塑性樹脂が挙げられ、これらを単独もしくは２種以上の混合物として用いて良いが、中でもインフレーション成形が可能なポリエチレン、ポリプロピレン、エチレン・酢酸ビニル共重合体、エチレン・エチルアクリレート共重合体や熱可塑性ポリウレタン樹脂等が好適に用いられる。
【００１１】
また、本発明で使用される農業用フィルムには、必要に応じて防曇剤、ハイドロタルサイト類やアルミニウムシリケート等の保温剤、防霧剤、熱安定剤、可塑剤、酸化防止剤、ヒンダードアミン系光安定剤、紫外線吸収剤、スリップ剤等の各種添加剤を添加して良いが、本発明ではブリードアウトによる弊害を防止できるので、ブリードアウトを起こし易い防曇剤を好適に用いることができる。
【００１２】
本発明で使用されるダブル片開き農業用フィルムの原反は、インフレーション成形機によって得られた筒状フィルムを圧着し、片側の折り目に沿ってスリットすることによって得られたものを、紙管や金属管に巻いて巻物としたのもであっても、交互に繰り返し折り畳んで積層物としたものであってもどちらでも良い。
この時、インフレーション成形時において得られる筒状フィルムの内面に対して、該フィルム押出直後にコーンスターチや馬鈴薯等の澱粉を付着させ、密着性を緩和しても良い。
【００１３】
また、本発明で使用されるダブル片開き農業用フィルムの原反は、単層フィルムであっても良いが、防曇持続性、透明性、防塵性、柔軟性および強度等の観点から積層フィルムとする方が良い。フィルム厚みは、使用する場所や耐用年数等により異なるが、一般的に０．０５〜０．３ｍｍ程度のものが好適に用いられる。場合によっては、防曇塗布剤や防塵塗布剤等を塗布・乾燥し、表面に塗布膜を形成しても構わない。
【００１４】
本発明の開反装置は、基本的にエアーノズルと２本のガイドロールと引き取り駆動ロールから構成され、ダブル片開き農業用フィルムの原反を機械的に１枚ものの農業用フィルムおよび出荷物とする開反装置である。
【００１５】
本発明の開反装置を図１により説明する。紙管に巻かれたダブル片開き農業用フィルムの原反１を剥がしながら、剥がされた該フィルムの原反１が２本のガイドロール５、５’に到達する前に、スリットしたフィルム開き部へエアーノズル４を挿入し、重なり合って密着している該フィルムの原反１の間へエアーを注入して剥がれ易くし、原反１を上方に設置されている２本のガイドロール５、５’の間に順次送り込む。この時、剥がされた該フィルムの原反１を順次自動的に繰り出せる様に、２本のガイドロールの内１本は回転駆動していることが望ましい。また、２本のガイドロール５、５’をダブル片開き農業用フィルムの原反１の下方に設置できる場合は、該フィルムの原反１を剥がしながら、剥がされた該フィルムの原反１が２本のガイドロール５、５’に到達する前に、スリットしたフィルム開き部へエアーノズル４を挿入し、重なり合って密着している該フィルムの原反１の間へエアーを注入して剥がれ易くし、剥がされた該フィルムを下方に設置されている２本のガイドロール５、５’の間に順次送り込む。
【００１６】
エアーノズルの長さは、該ノズルを該フィルム原反１の間に挿入する長さによって適宜調節する必要があるが、０．５ｍ〜２ｍのものが用いられる。エアーノズルは、必要に応じて複数本用いても良い。
【００１７】
また、エアーノズルの吹き出し口６は、移動する該フィルムの原反１がエアーノズルと摩擦を起こさない様に、折り畳まれて重なり合っている該フィルムの原反１の内両面に対して、該フィルムの原反１の移動方向もしくは／および該フィルムの原反１の開閉方向に平行にエアーが吹き出す様にエアーノズル側面に複数設けられる。吹き出し口の径は１〜１０ｍｍφが好ましく、吹き出し口と吹き出し口との間隔は１００〜５００ｃｍの範囲で設けられているのが好ましい。
【００１８】
エアーは、ブロアーやコンプレッサー等の装置によって容易に供給することができるが、密着している該フィルムの原反１を剥離するためは静圧で５００〜３０００ｍｍＡｑであることが望ましい。また、風量は、最大風量０．５〜５ｍ3／ｍｉｎの範囲であることが望ましい。
【００１９】
更に該フィルムの原反１の剥離性を向上するために、コーンスターチや馬鈴薯等の澱粉をエアーに混入させても良い。
【００２０】
２本のガイドロール５、５’を通過した該フィルムの原反１は、ガイドロール上で開反され、開反された状態のまま引き取り駆動ロール８に導かれる。該駆動ロール８はガイドロールのフィルム送り速度と連動しており、ガイドロールと該駆動ロール８との間で移動するフィルムを弛ませたり、必要以上に引っ張たりしないように調整されている。該フィルムの原反１が該駆動ロール８に到達するまでは、該フィルムの原反１がガイドロール通過後に人力で開反し、開反した該フィルムの原反１を人力で該駆動ロール８まで導いてやらなければならないが、該フィルムの原反１が該駆動ロール８を通過した後は、該フィルムの原反１は自動的に開反され、１枚ものの農業用フィルムとなる。
【００２４】
図１の開反装置により得られた積層物は、畳み方式によって農家へ配送される出荷物となるが、場合によっては、引き取り駆動ロール８の先に絞り機を設置し、絞り方式によって、１枚ものの農業用フィルムを横方向に１０〜３０ｃｍ程度に絞った後、それを所望の長さに繰り返して折り畳んで積層体とし、農家へ配送される出荷物としても良い。
【００２５】
【実施例】
以下、実施各例および比較各例によって本発明を具体的に説明するが、本発明はこれらにより限定されるべきものではない。尚、実施例における「％」は特に断りがない限り「重量％」である。
【００２６】
実施例１
Ａ、ＢおよびＢ’の３個の９０ｍｍφ押出装置を有するインフレーション成形装置を用い、中間層Ａの内外面に内層Ｂと外層Ｂ’が積層された筒状のインフレーションフィルムを得、これを圧着して幅８ｍの二枚折りのインフレーションフィルムとした後、更に片側の折り目に沿ってスリットし、ダブル片開き農業用フィルムを製造した。さらに、得られた該フィルムを、サーフェス式ワインダーにより巻き取り、１００ｍのダブル片開き農業用フィルムの原反１を得た。
この時、中間層Ａは、上記押出装置Ａに酢酸ビニル含有量15％のエチレン−酢酸ビニル共重合体を主成分とし、防曇剤３％（ソルビタンモノパルミテート45％、ジグリセリンセスキステアレート45％およびジグリセリンセスキオレート10％）、ハイドロタルサイト類化合物４％、フッ素系界面活性剤０．１％、ヒンダードアミン系耐候剤０．４％、フェノール系安定剤０．１％、リン系安定剤０．１％から構成された合計１００％の樹脂組成物を投入することにより得た。中間層Ａの厚みは、６０μｍであった。
内層Ｂは、上記押出装置Ｂに低密度ポリエチレンを主成分とし、ヒンダードアミン系耐候剤０．４％、フェノール系安定剤０．１％、リン系安定剤０．１％から構成された合計１００％の樹脂組成物を投入することにより得た。内層Ｂの厚みは、２０μｍであった。
外層Ｂ’は、上記押出装置Ｂ’に酢酸ビニル含有量５％のエチレン−酢酸ビニル共重合体を主成分とし、ヒンダードアミン系耐候剤０．４％、フェノール系安定剤０．１％、リン系安定剤０．１％から構成された合計１００％の樹脂組成物を投入することにより得た。外層Ｂ’の厚みは、２０μｍであった。
【００２７】
得られたダブル片開き農業用フィルム原反１を図１に示す開反装置に設置し、１枚ものの農業用フィルム積層物を得、さらに畳み方式によって農業用フィルムの出荷物を得た。
この時、５ｍｍφのエアー吹き出し口６が一列にエアーノズル先端より３００ｍｍ間隔で設置された長さ１ｍのエアーノズル４を、エアー吹き出し口６が該フィルムの移動方向に対して反対側（原反１方向）に向くように、該ノズルを該フィルムの原反１の開き部より折り目方向に向かって挿入し、最大静圧１２５０ｍｍＡｑ、最大風量３．１ｍ3／minのブロアー(日立製作所（株）製ボルテックスブロアーVB007E)によってフィルム間にエアー注入した。
また、引き取り駆動ロール８は、１５ｍ／ｍｉｎの速度で可動させた。
その結果、ダブル片開き農業用フィルム原反１の繰り出し開始より、出荷物が得られるまでに要した時間は７分であった。また、この作業に費やす人員は２名で充分であり、余裕をもって作業を終了させることができた。
【００２８】
比較例１
実施例１にて得られたダブル片開き農業用フィルムの原反１を、ダブル片開き状態で直接引き取り駆動ロール８で、１５ｍ／ｍｉｎの速度で順次送り出し、引き取り駆動ロール８を通過したダブル片開き農業用フィルムの原反１を手作業で開反した以外は、実施例１に準拠し、農業用フィルムの出荷物を得た。
該原反１の繰り出し開始より開反工程終了までの所要時間は５分間であったが、所要人員が３名必要となり、過渡な力により該フィルムの一部に伸び変形が発生した。また、開反した１枚ものの農業用フィルムを、さらに畳み方式により出荷物とする工程が、手作業で実施しなくてはならなかったため、この工程にさらに１６分間必要となった、人員も３名必要となった。
【００２９】
実施例２
引き取り駆動ロール８の先に絞り機を設置し、畳み方式の代わりに絞り方式によって、１枚ものの農業用フィルムを横方向に１０〜３０ｃｍ程度に絞った後、それを繰り返し折り畳んだ以外は、実施例１に準拠して農業用フィルムの出荷物を得た。
該原反１の送り出し開始から絞り方式により出荷物を得るまでに要した時間は７分間であり、所要人員は２名で十分であった。
【００３０】
比較例２
実施例１によって得られたダブル片開き農業用フィルムの原反１を、ダブル片開き状態で直接引き取り駆動ロール８で、１５ｍ／ｍｉｎの速度で順次繰り出し、引き取り駆動ロール８を通過したダブル片開き農業用フィルムの原反１を手作業で開反した以外は、実施例１に準拠して農業用フィルムを得た。
該原反１の送り出し開始より開反工程終了までの所要時間は５分間であったが、所要人員が３名必要となった。また、開反した１枚ものの農業用フィルムを、さらに２０ｍ／ｍｉｎの速度に設定した絞り機を用いた絞り方式により出荷物とする工程にさらに５分間必要となった、人員も２名必要となった。
【００３５】
【発明の効果】
本発明の農業用フィルムの開反装置は、インフレーション成形機によって得られたダブル片開き農業用フィルムを開反し１枚ものの農業用フィルムとする際、作業人員と作業時間を大幅に削減することができる。また、本発明の農業用フィルムの開反装置は、１枚ものの農業用フィルムを得た後、これを畳み方式もしくは絞り方式によって出荷物とする際においても、作業人員と作業時間を大幅に削減することができる上、通常手作業で行っていたため、ダブル片開き農業用フィルムの開反工程と畳み方式もしくは絞り方式によって出荷物を得る工程とが独立した作業になっており、非常に効率が悪かったが、本発明の農業用フィルムの開反装置により、これらを連続した作業とすることができたため、実に効率的に出荷物を得ることができるようになった。
【図面の簡単な説明】
【図１】本発明のダブル片開き農業用フィルムの開反装置
【符号の説明】
１．ダブル片開き農業用フィルムの原反（巻物）
２．開き口
３．折り部
４．エアーノズル
５、５’．ガイドロール（少なくとも一方が駆動）
６．エアー吹き出し口
８．引き取り駆動ロール
９．１枚ものの農業用フィルム（出荷用積層物）
【図１】
0003834966.tif 000002